(57)【要約】【課題】塗布具に付着した余分な化粧料を確実かつ十分に除去することができ、しごき部上方における内周面への化粧料の付着を防止できるしごき部材を提供する。【解決手段】上部が開口する有底筒状の容器本体と、同容器本体の上端部に着脱可能に取り付けられ、軸部の先端に塗布部を有する塗布具を備えるキャップ体とよりなる化粧料容器の前記容器本体の開口部内側に取り付けて使用され、前記塗布具に付着している余分な化粧料を除去するためのしごき部材１において、上下が開口する筒状壁部２の内側に、内周面が下方に向って縮径し、弾性を有する漏斗状のしごき部３を有し、同しごき部の下端開口部６における下側縁辺部に、下方に延びる複数の垂下体７、７を設けた。【選択図】  図１
2004173946.tif 000002
【特許請求の範囲】
【請求項１】
上部が開口する有底筒状の容器本体と、同容器本体の上端部に着脱可能に取り付けられ、軸部の先端に塗布部を有する塗布具を備えるキャップ体とよりなる化粧料容器の前記容器本体の開口部内側に取り付けて使用され、前記塗布具に付着している余分な化粧料を除去するためのしごき部材において、上下が開口する筒状壁部の内側に、内周面が下方に向って縮径し、弾性を有する漏斗状のしごき部を有し、同しごき部の下端開口部における下側縁辺部に、下方に延びる複数の垂下体を設けてなる塗布具付き化粧料容器のしごき部材。
【請求項２】
前記垂下体を、前記しごき部における下端開口部の径よりも小なる長さのものとしてなる請求項１に記載の塗布具付き化粧料容器のしごき部材。
【発明の詳細な説明】
【０００１】
【発明の属する技術分野】
本発明はマスカラ、アイライナー等の化粧料用の塗布具付き容器において、塗布具に付着した余分な化粧料を除去するためのしごき部材に関する。
【０００２】
【従来の技術とその問題点】
マスカラ、アイライナーあるいは液状の口紅等の粘度の高い液状化粧料用の容器には、キャップ側に塗布具を備えるものがあり、キャップを容器に取り付けた状態では容器本体内の化粧料に塗布具の先端塗布部が浸されていて、キャップをあけ、ブラシや筆あるいは櫛状の塗布部に化粧料が付着した状態で容器本体から引き出して使うようになっている。
【０００３】
しかして、容器本体の開口部内側には塗布具の軸部まわりの化粧料と塗布部の余分な化粧料を除去するためのしごき部材が取り付けられている。
【０００４】
上記しごき部材は、合成ゴム等の弾性を有する素材よりなる略円筒状のものとしてあって、下部に漏斗状のしごき部を有し、このしごき部における下端開口部の縁辺は、キャップを容器本体に取り付けた状態では塗布具まわりに圧接して容器本体内を密封するシール材として機能し、キャップを外して塗布具を取り出す際には塗布具まわりに摺接して軸部まわりに付着している化粧料と塗布部の余分な化粧料が除去されるようになっている。
【０００５】
ところで上記しごき部材においては、塗布具を容器本体内から取り出す際に、塗布具まわりの余分な化粧料がしごき部の下端開口部における下側縁辺部に付着し、自重により順次容器本体内に滴下する。
【０００６】
上述したしごき部における余分な化粧料の除去が適正に行なわれないと、しごき部の上方における内周面に化粧料が付着して乾燥、硬化し、硬化した化粧料が容器本体内に落下すると化粧料の塗布性等の品質が劣化するおそれがある。
【０００７】
化粧料の除去が適正に行なわれなくなる原因としては、使用者が塗布部をしごき部材の上端開口縁にこすり付けて塗布部への化粧料の付着量を調節するというような使い方をして、除去された化粧料がしごき部の上側内周面に溜まって乾燥、硬化し、しごき部の弾性が十分でなくなってしまう場合や、軸部まわりに化粧料が乾燥、硬化して付着したものをそのまま取り除かずに使用して、しごき部が軸部まわりに十分摺接できなくなった場合などが挙げられるが、これらの場合には、塗布具を引き出す際にしごき部の下端開口部における下側縁辺部に溜まる化粧料がしごき部材の上方へ引き上げられ、しごき部材の上側内周面にさらに化粧料が付着、堆積するという悪循環を惹き起こす。
【０００８】
【目的】
本発明の目的とするところは、塗布具に付着した余分な化粧料を確実かつ十分に除去することができ、しごき部上方における内周面への化粧料の付着を防止できるしごき部材を提供することにある。
【０００９】
【発明の構成】
上記目的を達成するために、本発明に係るしごき部材は、上部が開口する有底筒状の容器本体と、同容器本体の上端部に着脱可能に取り付けられ、軸部の先端に塗布部を有する塗布具を備えるキャップ体とよりなる化粧料容器の前記容器本体の開口部内側に取り付けて使用され、前記塗布具に付着している余分な化粧料を除去するためのしごき部材において、上下が開口する筒状壁部の内側に、内周面が下方に向って縮径し、弾性を有する漏斗状のしごき部を有し、同しごき部の下端開口部における下側縁辺部に、下方に延びる複数の垂下体を設けてなる構成のものとしてある。
また、前記垂下体を、前記しごき部における下端開口部の径よりも小なる長さのものとしてある。
【００１０】
【実施例】
以下、本発明の実施例を添付図面に示す具体例に基づいて説明する。
図１は、本発明に係るしごき部材１の第１実施例を示し、弾性を有する例えば合成ゴムで一体成型してなるものとしてあり、上下が開口する円筒部２の下部にしごき部３を有するいわゆる底しごきタイプのものとしてあって、円筒部の上下端部外周には外周フランジ４、５をそれぞれ形成してある。
【００１１】
しかして、前記しごき部３は下方に向って縮径し、下端中央に開口部６を有する漏斗状のものとしてあり、この開口部の下側縁辺部に複数本の細長い髭状の垂下体７、７を略等間隔で設けてある。
【００１２】
上記垂下体７、７は、長さが前記開口部５の径よりも小なるものとしてあり、かくすると使用時に垂下体がしごき部の上方に引き上げられて開口部の上に引っ掛かり、後述する塗布具の容器本体への出し入れを妨げるというような不具合が防止される。
【００１３】
なお、本実施例における各垂下体７は断面形状が例えば円形のものとしてあるが、断面形状は問わず、円形でなく三角形や四角形とする場合もあり、また全長に亘って同径である必要もなく、先細りのものや先太りのものとする場合もある。
【００１４】
また、垂下体の本数、長さおよび形状は容器本体に収容される化粧料の粘性等の性状および用途あるいは後述する塗布具の形状に応じて適宜選択する。
【００１５】
次ぎに、上述のように構成したしごき部材の作用について説明する。
図２、３は本発明に係るしごき部材を備える化粧料容器を示し、しごき部材１は化粧料を収容する容器本体８の口部９内側に嵌めこまれ、口部上端縁に上側の外周フランジ４が係合し、かつ口部の下端縁に下側の外周フランジ５が係合している。
【００１６】
同図２、３において符号１０はキャップ体、１１は塗布具を示し、塗布具１１は軸部１１ａの先端に塗布部１１ｂを有する構成となっていて、塗布部は例えば合成樹脂材の表面に微細な短繊維を静電植毛により付着させたものや筆状のものあるいは櫛状、ブラシ状のものとしてあり、この塗布部に所要量の化粧料を付着させることができるようになっている。
【００１７】
また、前記キャップ体１０はその下端寄り内周面に形成された雌ねじ部１２が容器本体８の口部外周に形成された雄ねじ部１３と螺合するようになっている。
【００１８】
しかして、しごき部３の開口部６の径は塗布具１１における軸部１１ａの外径よりも小なるものとしてあって、キャップ体１０を容器本体８に装着した状態においては、しごき部３の開口部６が塗布具１１の軸部１１ａまわりにその弾性によって拡径した状態で嵌合し、容器本体８内と外部とはこの開口部６と軸部との密着により遮断されていて、しごき部材は容器内外のシール部材としても機能している。
【００１９】
なお、本実施例のしごき部材１の上端面には周条１４を形成してあって、この周条とキャップ体の一部との接触によっても容器本体内外が遮断されている。
【００２０】
上述のようにキャップ体１０を容器本体８に装着した状態から、図４に示されるようにキャップ体を容器本体から外して塗布具１１を容器本体内から引き抜くと、軸部１１ａが開口部６の内周辺部に摺接して軸部まわりに付着している化粧料が除去され、また塗布部１１ｂの余分な化粧料１５も塗布部外周面と開口部６内周辺との間の隙間に規制されて除去される。
【００２１】
しごき部３によって除去された化粧料１５は、開口部下側縁辺部にその粘性や表面張力によって集められるが、本発明のしごき部材は前記垂下体７、７を開口部の下側縁辺部に備えているので、化粧料が開口部まわりに溜まることがなく、垂下体に導かれて容器本体内に滴下する。
【００２２】
したがって、塗布具１１を引き抜く際に開口部まわりの化粧料がしごき部３の上方へ吸い上げられることはまずなくて、しごき部上方における内面が常に清潔な状態に保たれ、乾燥、硬化した化粧料が容器本体内の化粧料の品質劣化を惹き起こすおそれが殆どなくなる。
【００２３】
上述した第１実施例のしごき部材は垂下体６を細長い髭状のものとしてあるが、図５に示されるように開口部５の下側周辺部を囲む暖簾状の垂下体１６、１６とする場合もあり、各垂下体がその弾性によって自由にできるように十分に厚さの薄いものとしてあるとともに、各垂下体間に適宜幅の隙間をあけてある。
【００２４】
また、上述した第１および第２実施例のしごき部材は、円筒部２の下端部にしごき部３を有するいわゆる底しごきタイプのものであるが、図６、７に示される第３および第４実施例のもののように円筒部２の略中間部における内側にしごき部３を設けるいわゆる中しごきタイプのものとする場合もあり、これら第３実施例のものは第１実施例のものと同様に垂下体７が細長い髭状のものとしてあり、第４実施例のものは第２実施例のものと同様に垂下体１６が暖簾状のものとしてある。
【００２５】
なお、上述した実施例においてはしごき部材を合成ゴム製の一体成型品としてあるが、適度の弾性を有する素材のものであれば合成樹脂材製のものとする場合もあるし、一体成型品ではなくて例えば垂下体をしごき部とは別部材として接着等の適宜の手段で取り付ける場合もある。
【００２６】
【発明の作用、効果】
本発明のしごき部材によれば、化粧料容器の塗布具を容器本体から引き抜く際に、しごき部の開口部内周辺が塗布具まわりに摺接して塗布具の軸部まわりに付着している化粧料および塗布部に付着している余分な化粧料が十分かつ確実に除去される。
【００２７】
上述のように除去された化粧料はしごき部における開口部下側縁辺部から垂下体に導かれて容器本体内に滴下するので、開口部まわりに化粧料が溜まることがなく、したがって化粧料がしごき部の上方に吸い上げられてしごき部の上面側に付着するようなことはまずなく、しごき部上方における内面が常に清潔な状態に保たれ、乾燥、硬化した化粧料が容器本体内の化粧料に混入してその品質劣化を惹き起こすのを防止できる。
【００２８】
また、垂下体はしごき部における開口部の径よりも長さを小なるものとしてあるので、化粧料容器の容器本体から塗布具を引き出す際に垂下体が開口部の上方に引き上げられて開口部の縁辺部に引っ掛かり、塗布具の出し入れの障碍となるというようなことを防止することができる。
【００２９】
さらに、本発明のしごき部材は従来のしごき部材に垂下体を付加したものであって、簡単な構造であり、複雑な型を用いることなく従来のものとほぼ同程度のコストで製造することができるという実用上の大なるメリットもある。
【図面の簡単な説明】
【図１】本発明に係るしごき部材の第１実施例を示す縦断斜視図。
【図２】本発明のしごき部材を備える化粧料容器の一例を一部破断して示す正面図。
【図３】キャップ体を容器本体に装着した状態の要部拡大縦断面図。
【図４】容器本体から塗布具を引き出す状態の要部拡大縦断面図。
【図５】本発明に係るしごき部材の第２実施例を示す縦断斜視図。
【図６】本発明に係るしごき部材の第３実施例を示す縦断斜視図。
【図７】本発明に係るしごき部材の第４実施例を示す縦断斜視図。
【符号の説明】
１  しごき部材              ２  円筒部
３  しごき部                ４、５  外周フランジ
６  開口部                  ７  垂下体
８  容器本体                ９  口部
１０  キャップ体            １１  塗布具
１２  雌ねじ部              １３  雄ねじ部
１４  周条                  １５  化粧料
１６  垂下体
【図１】
2004173946.tif 000003
【図２】
2004173946.tif 000004
【図３】
2004173946.tif 000005
【図４】
2004173946.tif 000006
【図５】
2004173946.tif 000007
【図６】
2004173946.tif 000008
【図７】
2004173946.tif 000009